【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
メッセージの送信先を指定するワンモーションのタッチ操作が検知手段により検知されている間に、該メッセージの作成に資するメッセージ用データを取得する取得手段と、
前記タッチ操作が前記検知手段により検知されなくなった後に、前記取得手段により取得されたメッセージ用データ又はこれに基づいて作成されるメッセージを該タッチ操作により指定される送信先に向けて供給する供給手段と、
を具備する端末装置。
【請求項２】
前記供給手段が、複数の前記送信先の候補にそれぞれ対応する複数のイメージ情報の表示領域のうち前記タッチ操作の操作対象たる表示領域に対応する送信先に向けて前記メッセージ用データ又は前記メッセージを供給する、
請求項１に記載の端末装置。
【請求項３】
前記送信先は、他の端末装置であり、
前記タッチ操作は、前記送信先における前記メッセージの出力方法をさらに指定するタッチ操作である、
請求項２に記載の端末装置。
【請求項４】
前記供給手段が、複数の前記出力方法の候補にそれぞれさらに対応する複数のイメージ情報の表示領域のうち前記タッチ操作の対象たる表示領域に対応する出力方法に対応付けて、前記メッセージ用データ又は前記メッセージを供給する、
請求項３に記載の端末装置。
【請求項５】
前記メッセージの出力方法は、前記送信先に前記メッセージが到達した後に発生し得る所定の事象の発生を条件として決定される前記メッセージの出力タイミングである、
請求項３又は請求項４に記載の端末装置。
【請求項６】
前記タッチ操作は、複数の前記メッセージ用データの入力方法からなる組合せをさらに指定するタッチ操作である、
請求項２から請求項５までのいずれか一項に記載の端末装置。
【請求項７】
前記タッチ操作が前記検知手段により検知された際に該タッチ操作により指定される前記組合せを構成する複数の入力方法にそれぞれ対応する複数の入力装置をそれぞれオンに切り替えるとともに、前記タッチ操作が前記検知手段により検知されなくなった際に前記複数の入力装置をそれぞれオフに切り替える制御手段をさらに具備する、
請求項６に記載の端末装置。
【請求項８】
前記タッチ操作は、長押し操作である、
請求項１から請求項７までのいずれか一項に記載の端末装置。
【請求項９】
メッセージの送信先を指定するワンモーションのタッチ操作が検知手段により検知されている間に、該メッセージの作成に資するメッセージ用データを取得する取得ステップと、
前記タッチ操作が前記検知手段により検知されなくなった後に、前記取得ステップにおいて取得されたメッセージ用データ又はこれに基づいて作成されるメッセージを該タッチ操作により指定される送信先に向けて供給する供給ステップと、
を含む、端末装置の制御方法。
【請求項１０】
メッセージの送信先を指定するワンモーションのタッチ操作が検知手段により検知されている間に、該メッセージの作成に資するメッセージ用データを取得する取得機能と、
前記タッチ操作が前記検知手段により検知されなくなった後に、前記取得機能により取得されたメッセージ用データ又はこれに基づいて作成されるメッセージを該タッチ操作により指定される送信先に向けて供給する供給機能と、
を端末装置のコンピュータに実現させる制御プログラム。
【手続補正２】
【補正対象書類名】明細書
【補正対象項目名】発明の名称
【補正方法】変更
【補正の内容】
【発明の名称】端末装置、端末装置の制御方法及び端末装置の制御プログラム
【手続補正３】
【補正対象書類名】明細書
【補正対象項目名】０００１
【補正方法】変更
【補正の内容】
【０００１】
本発明は、例えば通信ネットワーク上でメッセージをやり取りするものに関し、詳細にはワンモーションのタッチ操作のみでメッセージの入力から送信まで完了する仕組みに関するものである。
【手続補正４】
【補正対象書類名】明細書
【補正対象項目名】０００３
【補正方法】変更
【補正の内容】
【０００３】
このように、利便性の高い電子メールでも伝えたいメッセージを容易に送れなかったり感情が伝わり切らなかったりすることがある。したがって、より簡単な操作で入力や送信をするばかりでなく、感情を備えたメッセージを振動として伝達することが注目されてきた。
【手続補正５】
【補正対象書類名】明細書
【補正対象項目名】００１１
【補正方法】変更
【補正の内容】
【００１１】
本発明が解決しようとする課題は、端末装置を用いて通信ネットワーク上でメッセージを伝達するサービスにおいて、メッセージの入力から送信までの操作をユーザに手間なく行わせて気軽なコミュニケーションを喚起することである。
【手続補正６】
【補正対象書類名】明細書
【補正対象項目名】００１２
【補正方法】変更
【補正の内容】
【００１２】
上記課題を解決するために、本発明は、メッセージの入力から送信までを端末装置に対するワンモーションのタッチ操作で行わせるものである。
【手続補正７】
【補正対象書類名】明細書
【補正対象項目名】００１３
【補正方法】変更
【補正の内容】
【００１３】
すなわち、本発明の一態様に係る「端末装置」は、メッセージの送信先を指定するワンモーションのタッチ操作が検知手段により検知されている間に、該メッセージの作成に資するメッセージ用データを取得する取得手段と、前記タッチ操作が前記検知手段により検知されなくなった後に、前記取得手段により取得されたメッセージ用データ又はこれに基づいて作成されるメッセージを該タッチ操作により指定される送信先に向けて供給する供給手段と、を具備する。
また、本発明の一態様に係る「端末装置の制御方法」は、メッセージの送信先を指定するワンモーションのタッチ操作が検知手段により検知されている間に、該メッセージの作成に資するメッセージ用データを取得する取得ステップと、前記タッチ操作が前記検知手段により検知されなくなった後に、前記取得ステップにおいて取得されたメッセージ用データ又はこれに基づいて作成されるメッセージを該タッチ操作により指定される送信先に向けて供給する供給ステップと、を含む。
また、本発明の一態様に係る「制御プログラム」は、メッセージの送信先を指定するワンモーションのタッチ操作が検知手段により検知されている間に、該メッセージの作成に資するメッセージ用データを取得する取得機能と、前記タッチ操作が前記検知手段により検知されなくなった後に、前記取得機能により取得されたメッセージ用データ又はこれに基づいて作成されるメッセージを該タッチ操作により指定される送信先に向けて供給する供給機能と、を端末装置のコンピュータに実現させる。
【手続補正８】
【補正対象書類名】明細書
【補正対象項目名】００１４
【補正方法】変更
【補正の内容】
【００１４】
本発明の一態様に係る「端末装置」には、下記の技術的限定を加えてもよい。また、同様の技術的限定を、本発明の一態様に係る「端末装置の制御方法」及び「制御プログラム」に加えてもよい。
例えば、前記供給手段が、複数の前記送信先の候補にそれぞれ対応する複数のイメージ情報の表示領域のうち前記タッチ操作の操作対象たる表示領域に対応する送信先に向けて前記メッセージ用データ又は前記メッセージを供給する、という技術的限定を加えてもよい。
さらに、前記送信先は、他の端末装置であり、前記タッチ操作は、前記送信先における前記メッセージの出力方法をさらに指定するタッチ操作である、という技術的限定を加えてもよい。具体的には、前記供給手段が、複数の前記出力方法の候補にそれぞれさらに対応する複数のイメージ情報の表示領域のうち前記タッチ操作の対象たる表示領域に対応する出力方法に対応付けて、前記メッセージ用データ又は前記メッセージを供給する、という技術的限定をさらに加えてもよい。このとき、前記メッセージの出力方法は、前記送信先に前記メッセージが到達した後に発生し得る所定の事象の発生を条件として決定される前記メッセージの出力タイミングである、という技術的限定をさらに加えてもよい。
【手続補正９】
【補正対象書類名】明細書
【補正対象項目名】００１５
【補正方法】変更
【補正の内容】
【００１５】
上記技術的限定を加えた「端末装置」には、下記の技術的限定をさらに加えてもよい。また、同様の技術的限定を、上記技術的限定を加えた「端末装置の制御方法」及び「制御プログラム」にさらに加えてもよい。
例えば、前記タッチ操作は、複数の前記メッセージ用データの入力方法からなる組合せをさらに指定するタッチ操作である、という技術的限定をさらに加えてもよい。このとき、前記タッチ操作が前記検知手段により検知された際に該タッチ操作により指定される前記組合せを構成する複数の入力方法にそれぞれ対応する複数の入力装置をそれぞれオンに切り替えるとともに、前記タッチ操作が前記検知手段により検知されなくなった際に前記複数の入力装置をそれぞれオフに切り替える制御手段をさらに具備する、という技術的限定をさらに加えてもよい。
【手続補正１０】
【補正対象書類名】明細書
【補正対象項目名】００１６
【補正方法】変更
【補正の内容】
【００１６】
本発明の一態様に係る「端末装置」及び上記技術的限定を加えた「端末装置」には、下記の技術的限定を加えてもよい。また、同様の技術的限定を、本発明の一態様に係る「端末装置の制御方法」及び「制御プログラム」並びに上記技術的限定を加えた「端末装置の制御方法」及び「制御プログラム」に加えてもよい。
例えば、前記タッチ操作は、長押し操作である、という技術的限定を加えてもよい。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】変更
【補正の内容】
【００４１】
ここで「メッセージ」とは、ワンモーションのタッチ操作（例えば、長押し操作）の間に取得されるメッセージ用データに基づいて作成される、送信対象となるものを意味する。例えばユーザの音声、この音声を認識して文字に変換したテキスト、キーボードで入力したテキスト、端末装置の振動の加速度を測定した振動データ、カメラで撮影した画像データ又は動画データ、ＧＰＳ（Global Positioning System）で計測した位置情報、ウェブページのＵＲＬ（Uniform Resource Locator）、チェック情報が該当する。なお位置情報及びチェック情報は、座標情報、ＵＲＬ、又はテキストで示してもよい。「チェック情報」とは、ＧＰＳで計測した位置情報又は所定のウェブサイト若しくは地図アプリケーションに表示される地域に関連する建屋やランドマークを意味し、例えば、地名、公共施設、神社、寺、空港、駅名、駅の出入口名、公園、野球場、サッカー場、百貨店、スーパーマーケット、ショッピングセンター、アウトレットモール、飲食店、遊園地、映画館に限らず、すべてのスポットが該当する。
また「メッセージ用データ」とは、メッセージの作成に資するデータを意味する。例えば音声データ、テキストデータ、振動データ、画像データ又は動画データ、位置データが該当する。
【手続補正３６】
【補正対象書類名】明細書
【補正対象項目名】００４４
【補正方法】変更
【補正の内容】
【００４４】
「長押し操作」とは、一定の時間ユーザの指がイメージ情報又はタッチパネル（「検知手段」を構成する要素の一例。）の任意の位置に触れている状態を意味する。なお「一定の時間」は自由に設定可能である。「長押し操作に伴って」とは、例えば長押し操作を開始するタイミングや終了するタイミングが該当する。すなわち、ユーザがイメージ情報等に触れている指を離すことにより、長押し操作は終了する。「長押し操作の間」とは、長押し操作を開始してから終了するまでを意味し、例えば長押し操作の開始後メッセージの記録を開始する前や、記録の終了後このメッセージを送信する前が該当する。
【手続補正３７】
【補正対象書類名】明細書
【補正対象項目名】００４７
【補正方法】変更
【補正の内容】
【００４７】
「メッセージ用データの入力方法」とは、メッセージ用データをどのように入力するか指示するものを意味し、例えばマイクロフォン（「入力装置」を構成する要素の一例。）で音声を取ること、音声を認識してテキストに変換すること、加速度センサ（「入力装置」を構成する要素の一例。）で端末装置の振動を測定すること、内向きまたは外向きのカメラ（「入力装置」を構成する要素の一例。）で画像や動画を撮影すること、ＧＰＳ（「入力装置」を構成する要素の一例。）で位置情報を計測すること、タッチパネルに表示されているウェブページの画面をプリントスクリーンすること、又はこの画面のＵＲＬを認識することが該当する。
【手続補正３８】
【補正対象書類名】明細書
【補正対象項目名】００４８
【補正方法】変更
【補正の内容】
【００４８】
「メッセージの送信先」は、例えば情報伝達サーバ、他の端末装置、端末装置内の記憶領域、又は通信ネットワークを介して接続する他のデータベースサーバが該当する。この送信先として、他のユーザの端末装置又は情報伝達サーバが選択された場合、送信されるメッセージには、少なくとも送信先情報が付与される。「送信先情報」は、例えば端末装置を有するユーザ固有のユーザＩＤ、氏名、住所、電話番号、メールアドレス、ＳＮＳのユーザＩＤが該当する。
【手続補正３９】
【補正対象書類名】明細書
【補正対象項目名】００５２
【補正方法】変更
【補正の内容】
【００５２】
本発明によれば、ワンモーションのタッチ操作のみでユーザにメッセージを素早く送信させることができる。
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００５５
【補正方法】削除
【補正の内容】
【手続補正４３】
【補正対象書類名】明細書
【補正対象項目名】００５６
【補正方法】削除
【補正の内容】
【手続補正４４】
【補正対象書類名】明細書
【補正対象項目名】００５７
【補正方法】削除
【補正の内容】
【手続補正４５】
【補正対象書類名】明細書
【補正対象項目名】００５８
【補正方法】削除
【補正の内容】
【手続補正４６】
【補正対象書類名】明細書
【補正対象項目名】００６１
【補正方法】変更
【補正の内容】
【００６１】
さて図１に示すように、ユーザＡは端末装置１（本発明に係る「端末装置」の一例。）のタッチパネル（「検知手段」を構成する要素の一例。）を操作してユーザリストを呼び出し、このタッチパネルの画面に表示されるユーザリストのうちメッセージを送りたいユーザＢに対して長押し操作（「ワンモーションのタッチ操作」の一例。）を行う。この長押し操作の間に、オブジェクトに従って端末装置１はメッセージとしてテキスト及び振動データを取得し記録する。すなわちユーザＡは、ユーザリストに指を当てたまま端末装置１に向かって音声を発すると共に、上下方向に振って振動を起こす。そしてユーザＡが指を離して長押し操作を終了すると、端末装置１はテキスト及び振動データを情報伝達サーバ２に送信（「供給」の一形態。）する。情報伝達サーバ２は、これらのメッセージに対応付けられたユーザＢの送信先情報をキーにしてこれらのメッセージをデータ記憶手段に記憶すると共に、この送信先情報に関連付く端末情報を有するユーザＢの端末装置１（「送信先」の一例。）に、メッセージを受信した旨の通知を送信する。この通知を受けたユーザＢの端末装置１からの求めに応じて、情報伝達サーバ２から端末装置１に対してメッセージが送信される。